【手続補正書】
【提出日】平成16年9月16日(2004.9.16)
【手続補正１】
【補正対象書類名】明細書
【補正対象項目名】発明の名称
【補正方法】変更
【補正の内容】
【発明の名称】マルチデータサービス処理方法、移動局および装置
【手続補正２】
【補正対象書類名】明細書
【補正対象項目名】特許請求の範囲
【補正方法】変更
【補正の内容】
【特許請求の範囲】
【請求項１】  移動局（２）および基地局（３）間の通信リンク（４）を介した多重データサービスの処理方法であって、該方法は、
各々が少なくとも１つのサービス（６）をサポートする複数の無線ベアラサービスを受信するステップと、
実質的に同様な品質のサービス要求を有する無線ベアラサービスが結合されて単一論理チャネル（４０ａ；４０ｂ）となるように複数の無線ベアラサービスを処理するステップと、
を含む方法。
【請求項２】  請求項１記載の方法であって、該処理するステップはさらに、
無線ベアラサービス内のデータを複数の部分（１６５）へ分離するステップと、
無線ベアラサービスからの実質的に同様なサービス品質要求を有する部分を結合して単一論理チャネル（４０ａ；４０ｂ）の伝送ブロック（１４５）とするステップであって、伝送ブロック（１４５）当りの部分数（１６９）は可変である、ステップと、
を含む方法。
【請求項３】  請求項２記載の方法であって、さらに、
単一論理チャネル（４０ａ；４０ｂ）の伝送速度を変えることなく優先順位の高い部分（１６５）が優先順位の低い部分（１６５）よりも先に伝送されるように異なる無線ベアラサービスからの部分に優先順位を付けるステップを含む方法。
【請求項４】  請求項２又は請求項３記載の方法であって、複数の部分（１６５）は無線リンク制御／媒体アクセス制御プロトコルデータユニット（ＲＬＣ／ＭＡＣ  ＰＤＵ）を含む方法。
【請求項５】  請求項２から請求項４のいずれか一の請求項に記載の方法であって、さらに、
トランシーバの出力電力が所定レベルよりも低いままとされるように伝送ブロック（１４５）の伝送をスケジュールするステップを含む方法。
【請求項６】  請求項５記載の方法であって、所定レベルは時間と共に変動することがある方法。
【請求項７】  請求項３記載の方法であって、優先順位付けは移動局（２）で行われる方法。
【請求項８】  請求項３記載の方法であって、優先順位付けは基地局（３）で行われる方法。
【請求項９】  請求項１から請求項８のいずれか一の請求項記載の方法であって、さらに論理チャネル（４０）を物理チャネル（５５）上へマッピングするステップを含む方法。
【請求項１０】  請求項１から請求項９のいずれか一の請求項記載の方法であって、さらに、
トランシーバの出力レートが所定レベルよりも低いままとされるように異なる論理チャネル（４０）の伝送速度をスケジュールするステップを含む方法。
【請求項１１】  基地局（３）との間の通信リンク（４）を介した多重データサービスの処理をする移動局であって、
各々が少なくとも１つのサービス（６）をサポートする複数の無線ベアラサービスを受信する受信手段と、
実質的に同様な品質のサービス要求を有する無線ベアラサービスが結合されて単一論理チャネル（４０ａ；４０ｂ）となるように複数の無線ベアラサービスを処理する処理手段と、
を有する移動局。
【請求項１２】  請求項１１記載の移動局であって、該処理手段はさらに、
無線ベアラサービス内のデータを複数の部分（１６５）へ分離する分離手段と、
無線ベアラサービスからの実質的に同様なサービス品質要求を有する部分を結合して単一論理チャネル（４０ａ；４０ｂ）の伝送ブロック（１４５）とする結合手段であって、伝送ブロック（１４５）当りの部分数（１６９）は可変である、結合手段と、
を有する移動局。
【請求項１３】  請求項１２記載の移動局であって、さらに、
単一論理チャネル（４０ａ；４０ｂ）の伝送速度を変えることなく優先順位の高い部分（１６５）が優先順位の低い部分（１６５）よりも先に伝送されるように異なる無線ベアラサービスからの部分に優先順位を付ける優先順位手段を有する移動局。
【請求項１４】  請求項１２又は請求項１３記載の移動局であって、さらに、該複数の部分（１６５）は無線リンク制御／媒体アクセス制御プロトコルデータユニット（ＲＬＣ／ＭＡＣ  ＰＤＵ）を有する移動局。
【請求項１５】  請求項１２から請求項１４のいずれか一の請求項に記載の移動局であって、さらに、
トランシーバの出力電力が所定レベルよりも低いままとされるように伝送ブロック（１４５）の伝送をスケジュールする伝送スケジュール手段を有する移動局。
【請求項１６】  請求項１５記載の移動局であって、所定レベルは時間と共に変動することがある移動局。
【請求項１７】  請求項１３記載の移動局であって、優先順位付けは移動局（２）で行われる移動局。
【請求項１８】  請求項１１から請求項１７のいずれか一の請求項記載の移動局であって、さらに論理チャネル（４０）を物理チャネル（５５）上へマッピングするマッピング手段を有する移動局。
【請求項１９】  請求項１１から請求項１８のいずれか一の請求項記載の移動局であって、さらに、
トランシーバの出力レートが所定レベルよりも低いままとされるように異なる論理チャネル（４０）の伝送速度をスケジュールする伝送速度スケジュール手段を有する移動局。
【請求項２０】  移動局（２）および基地局（３）間の通信リンク（４）を介した多重データサービスを提供する装置であって、
論理チャネル（４０）を物理チャネルにマッピングする第１の手段（１０）、
実質的に同様なサービス品質要求を有するデータサービスが結合されて同一論理チャネルとなるように複数の無線ベアラサービスを処理する第２の手段（１５）と、
該通信リンクの複数のデータサービスを含む無線ベアラを提供する第３の手段（２０）
を有する装置。
【請求項２１】  請求項２０記載の装置であって、該第２の手段（１５）の機能を制御する管理手段（２５）をさらに含む装置。
【請求項２２】  請求項２０又は請求項２１記載の装置であって、
該第２の手段（１５）が、さらに
該サービスを表す該無線ベアラからのデータを複数の第１のユニットへ分離する論理リンク制御手段（３０）、
該複数の第１のユニットを複数のより小さい第２のユニットへ分離する無線リンク制御手段（３５）と、
同様なサービス品質要求を有するデータサービスからの複数のより小さい第２のユニットを結合して単一論理チャネルとする媒体アクセス制御手段（３３）とを有する装置。、
【請求項２３】  請求項２２記載の装置であって、該媒体アクセス制御手段（３３）はさらに該複数のより小さい第２のユニットを結合するマルチプレクサ（４５）を有する装置。
【請求項２４】  請求項２２又は請求項２３記載の装置であって、該媒体アクセス制御手段（３３）はさらに論理チャネルの伝送速度を変えることなく優先順位の高い第２のユニットが優先順位の低い第２のユニットよりも先に伝送されるように該複数のより小さい第２のユニットに優先順位を付ける手段を有する装置。
【請求項２５】  請求項２１記載の装置であって、該管理手段（２５）が該第１、第２および第３の手段（１０、１５、２０）を制御する全てのアルゴリズムおよび調整機能を有する装置。
【請求項２６】  請求項２０から請求項２５のいずれか一の請求項記載の装置であって、該第２の手段（１５）はさらにトランシーバの出力電力が所定レベルよりも低いままとされるように物理チャネル上のデータの伝送ブロックの伝送をスケジュールする装置。
【請求項２７】  請求項２６記載の装置であって、所定レベルは時間と共に変動することがある装置。
【請求項２８】  請求項２４記載の装置であって、優先順位付け手段は移動局（２）で制御される装置。
【請求項２９】  請求項２４記載の装置であって、優先順位付け手段は基地局（３）で制御される装置。